(57)【要約】【課題】ＤＰＴのキャリアの高調波のクロストークによりＶＤＳＬ通信が不可能になるという状態を回避することができ、ＤＰＴによる通話とＶＤＳＬによるデータ通信との同時接続を安定的に実現することができるＶＤＳＬ通信機器を提供することを目的とする。【解決手段】内線用デジタル電話とＶＤＳＬとにより音声伝送とデータ伝送とを行うＶＤＳＬ通信機器３０であって、全体を制御するＶＤＳＬ制御部３３と、内線用デジタル電話のキャリアの高調波のレベルを検知するノイズレベル検知部３６と、検知した高調波のレベルに基づいてＶＤＳＬの送信レベルや伝送帯域の諸条件を設定するためのデータであるスクリプトファイルデータを蓄積するスクリプトファイル蓄積部３５とを有する。【選択図】  図１
2004200850.tif 000002
【特許請求の範囲】
【請求項１】
内線用デジタル電話とＶＤＳＬとにより音声伝送とデータ伝送とを行うＶＤＳＬ通信機器であって、
全体を制御するＶＤＳＬ制御部と、前記内線用デジタル電話のキャリアの高調波のレベルを検知するノイズレベル検知部と、前記検知した高調波のレベルに基づいてＶＤＳＬの送信レベルや伝送帯域の諸条件を設定するためのデータであるスクリプトファイルデータを蓄積するスクリプトファイル蓄積部とを有することを特徴とするＶＤＳＬ通信機器。
【請求項２】
前記スクリプトファイルデータを蓄積する設定用ＰＣと接続するための外部ＰＣ接続部を備えたことを特徴とする請求項１に記載のＶＤＳＬ通信機器。
【発明の詳細な説明】
【０００１】
【発明の属する技術分野】
本発明は、内線用デジタル電話（以下、「ＤＰＴ」と記載する）とＶＤＳＬ（Ｖｅｒｙ  ｈｉｇｈ  ｂｉｔ  ｒａｔｅ  Ｄｉｇｉｔａｌ  Ｓｕｂｓｃｒｉｂｅｒ  Ｌｉｎｅ）とを同一専用線上で使用可能とする為に使用するＶＤＳＬ通信機器に関するものである。
【０００２】
【従来の技術】
ＶＤＳＬは、基本的にＡＤＳＬ（Ａｓｙｍｍｅｔｒｉｃ  Ｄｉｇｉｔａｌ  Ｓｕｂｓｃｒｉｂｅｒ  Ｌｉｎｅ）と同様の非対称の伝送方式であるが、ＶＤＳＬの意味するＶｅｒｙ  ｈｉｇｈ  ｂｉｔ  ｒａｔｅ  ＤＳＬつまり“超高速デジタル加入者回線”という名前のとおり、ＡＤＳＬよりも高速な通信速度を実現する事が出来る。それは、フルレートのＡＤＳＬをさらに高速化して、１０Ｍｂｐｓ〜５０Ｍｂｐｓ程度の高速データ通信を可能にする通信方式である。その技術は、現在のアナログ電話回線では０〜４ｋＨｚくらいまでを音声帯域として利用し、ＡＤＳＬではそれよりも高い部分の周波数帯域１．１ＭＨｚまでの周波数を使って伝送するのに対し、ＶＤＳＬはさらにその上の４ＭＨｚをはるかに越えるレンジまでを使用することにより高速なデジタル通信を可能にしている。しかし、周波数レンジを上げたことによって大幅に伝送距離が制限され、その伝送距離は１〜２ｋｍ程度で、ＡＤＳＬに比べると三分の一程度の短い距離になってしまう。
【０００３】
ここで、集合住宅におけるＶＤＳＬの利用方法を例にとって説明する。ＶＤＳＬの利用の形態としては、電話局から集合住宅などの近くまでは光ケーブルを使用し（ＦＴＴＣ（Ｆｉｂｅｒ  Ｔｏ  Ｔｈｅ  Ｃｕｒｂ）を使用し）、そこから集合住宅内の各ユーザーの家までは既設の電話線を利用したＶＤＳＬで高速通信が実現できる。このように、光ケーブルと組み合わせる事でＶＤＳＬを活用する事が出来る。但し、ＶＤＳＬ通信機器は距離の影響を受け易く、回線ロス（減衰）やクロストークノイズの影響、また周波数が高い為に影響するハムノイズ等によって現時点では最大転送レートが下がったりして、回線品質が不安定になったりする。そこで、従来のＶＤＳＬ通信機器は、他の通信機器からのクロストークを避ける為にアップストリーム及びダウンストリーム部の伝送スペクトルを個々に選択するように配置され、それによって他の通信機器からのクロストーク干渉を最小にするようにしている（特許文献１参照。）。
【０００４】
伝送速度と距離との相関は、１０００ｆｔ（３００ｍ）では下り５２Ｍｂｐｓ、上り６Ｍｂｐｓ程度が最高速度で、３０００ｆｔ（９００ｍ）では下り２６Ｍｂｐｓ、４５００ｆｔ（１．３５ｋｍ）では下り１３Ｍｂｐｓ程度と予測される。変調方式としては、ＡＤＳＬと同様にＤＭＴ（Ｄｉｓｃｒｅｔｅ  ＭｕｌｔｉＴｏｎｅ）方式や、ＱＡＭ（Ｑｕａｄｒａｔｕｒｅ  Ａｍｐｌｉｔｕｄｅ  Ｍｏｄｕｌａｔｉｏｎ）方式、ＣＡＰ（Ｃａｒｒｉｅｒｌｅｓｓ  Ａｍｐｌｉｔｕｄｅ  Ｐｈａｓｅ）方式の各方式がアプローチされている。
【０００５】
図３は、従来のＶＤＳＬ通信機器を示すブロック図である。
【０００６】
図３において、１はＶＤＳＬ通信機器、２はＶＤＳＬモデム部であり、ＶＤＳＬモデム部２は、スプリッタ２１とフィルタ２２とモデムブロック２３とで構成される。３はネットワークスイッチ部であり、ネットワークスイッチ部３は、制御用ＣＰＵ２６とメモリブロック２７とＮポートスイッチブロック２８（Ｎ：ポート数）とで構成される。４はネットワーク接続部であり、ネットワーク接続部４は、ネットワークトランス２４とＥｔｈｅｒｎｅｔ（Ｒ）ブロック（イーサネット（Ｒ）ブロック）２５とで構成される。５は回線の減衰等を検知するノイズ検知部、６はＶＤＳＬ通信機器１に電源を供給する電源ブロック、７はＶＤＳＬ通信機器１に接続されるインターネット（Ｉｎｔｅｒｎｅｔ）、８はＶＤＳＬ通信機器１に接続されるＰＳＴＮ回線、９はＶＤＳＬの宅内モデム、１０は宅内モデムに接続された電話機、１１は宅内モデムに接続されたＰＣ、２９はセンター側と宅内側とを接続して音声とデータを伝送する専用線としての電話線である。
【０００７】
図３において、ＰＳＴＮ回線８やＩｎｔｅｒｎｅｔ７と接続されたセンター側のＶＤＳＬ通信機器１と各宅内の宅内モデム９との間での接続を行う場合、ＰＳＴＮ回線８の音声とデータは、ＶＤＳＬモデム部２のスプリッタ２１で音声とデータに分けられ、データはモデムブロック２３で変・復調される。またＩｎｔｅｒｎｅｔ７は、ＶＤＳＬ通信機器１のネットワーク接続部４に接続され、そのデータは前述のデータとともにネットワークスイッチ部３でスイッチングされ、音声とともに各宅内の宅内モデム９へ伝送される。この時、センター側のＶＤＳＬ通信機器１と宅内モデム９との間の距離に応じた回線の状態（Ｓ／Ｎ比）を認識して送信パワーを決定し、伝送速度を調整する。通信スピードに関しては、Ｒａｔｅ  Ａｄａｐｔｉｖｅ（レートアダプティブ）に設定される。このＲａｔｅ  Ａｄａｐｔｉｖｅは回線の状態（Ｓ／Ｎ比）に応じて伝送速度を調整するもので、ＡＤＳＬやアナログモデム等々と同様の機能である。
【０００８】
次に、このように構成されたＶＤＳＬ通信機器１について、その伝送データやＤＰＴ（Ｄｉｇｉｔａｌ  Ｐｒｏｐｒｉｅｔａｒｙ  Ｔｅｌｅｐｈｏｎｅ）、ＶＤＳＬなどを図４〜図６を用いて説明する。図４はＤＰＴの伝送フレームフォーマットやタイミングを示すタイミング図であり、図５は専用線としてのケーブル２９内のデータ割当てを示す説明図、図６はＤＰＴのキャリア信号の実測波形を示す波形図である。
【０００９】
まず４ワイヤー２９内のＤＰＴ信号の割当てであるが、図５に示すように、ＤＰＴは４ワイヤー２９の電話線の外側２線を使用して通信するものである。内側の２ワイヤーは使用しておらず、ここではＶＤＳＬの通信用に割り当てる。
【００１０】
次に、伝送としては、外側の２ワイヤーのピンポン伝送方式（送信と受信の動作を交互におこなう伝送方式）により２Ｂ＋Ｄの伝送をおこなう。この伝送スピードは独自のもので、ピンポン伝送方式の代表であるＩＳＤＮとは異なり、１ビット時間５１２ｋＨｚの５１２ｋｂｐｓである。次に、伝送フレームフォーマットやタイミングであるが、Ｄチャネルの有効データやＢ１チャネルの有効データ、Ｂ２チャネルの有効データが図４に示すように与えられて、５１２ｋＨｚのクロックの“Ｌ”、“Ｈ”のタイミングで受信データ、送信データが確定され、それぞれ伝送されることになる。そして、この５１２ｋＨｚのキャリア周波数は常時出力されており、図６のＤＰＴのキャリアの高調波波形に示すように十数ＭＨｚ（ＶＤＳＬの伝送帯域と重なる）の高帯域までそのキャリアの高調波が出力されている事がわかる。
【００１１】
【特許文献１】
特表２０００−５１２４４３（Ｐ２０００−５１２４４３Ａ）号公報
【００１２】
【発明が解決しようとする課題】
しかしながら、上記従来のＶＤＳＬ通信機器では、４ワイヤーのケーブル２９において、外側２線をＤＰＴに使用し、内側２線をＶＤＳＬに使用する場合、ＤＰＴのキャリアの高調波のクロストークがＶＤＳＬの下りの帯域（センター側から各宅内への伝送）のセンター周波数に影響を与えてしまい、それによってＶＤＳＬ通信ができない（リンクが確立しない）という問題点を生じ、ＤＰＴによる通話とＶＤＳＬによるデータ通信との同時接続を安定的に実現することができないという問題点を生じる。
【００１３】
このＶＤＳＬ通信機器では、ＤＰＴのキャリアの高調波のクロストークによりＶＤＳＬ通信が不可能になるという状態を回避することができ、ＤＰＴによる通話とＶＤＳＬによるデータ通信との同時接続を安定的に実現することができることが要求されている。
【００１４】
本発明は、この要求を満たすため、ＤＰＴのキャリアの高調波のクロストークによりＶＤＳＬ通信が不可能になるという状態を回避することができ、ＤＰＴによる通話とＶＤＳＬによるデータ通信との同時接続を安定的に実現することができるＶＤＳＬ通信機器を提供することを目的とする。
【００１５】
【課題を解決するための手段】
上記課題を解決するために本発明のＶＤＳＬ通信機器は、内線用デジタル電話とＶＤＳＬとにより音声伝送とデータ伝送とを行うＶＤＳＬ通信機器であって、全体を制御するＶＤＳＬ制御部と、内線用デジタル電話のキャリアの高調波のレベルを検知するノイズレベル検知部と、検知した高調波のレベルに基づいてＶＤＳＬの送信レベルや伝送帯域の諸条件を設定するためのデータであるスクリプトファイルデータを蓄積するスクリプトファイル蓄積部とを有する構成を備えている。
【００１６】
これにより、ＤＰＴのキャリアの高調波のクロストークによりＶＤＳＬ通信が不可能になるという状態を回避することができ、ＤＰＴによる通話とＶＤＳＬによるデータ通信との同時接続を安定的に実現することができるＶＤＳＬ通信機器が得られる。
【００１７】
【発明の実施の形態】
本発明の請求項１に記載のＶＤＳＬ通信機器は、内線用デジタル電話とＶＤＳＬとにより音声伝送とデータ伝送とを行うＶＤＳＬ通信機器であって、全体を制御するＶＤＳＬ制御部と、内線用デジタル電話のキャリアの高調波のレベルを検知するノイズレベル検知部と、検知した高調波のレベルに基づいてＶＤＳＬの送信レベルや伝送帯域の諸条件を設定するためのデータであるスクリプトファイルデータを蓄積するスクリプトファイル蓄積部とを有することとしたものである。
【００１８】
この構成により、ＶＤＳＬ制御部は、ＶＤＳＬの送信レベルや伝送帯域の諸条件を予め蓄積しているスクリプトファイルのデータによって自動的に決定することができるので、ＤＰＴのキャリアの高調波のノイズレベルに応じてＶＤＳＬの送信レベルや伝送帯域の設定をＤＰＴのクロストークの影響のない帯域に移動させることができ、ＶＤＳＬ通信を確実にリンクさせることができ、従って、ＤＰＴによる音声通信とＶＤＳＬによるデータ通信との同時接続を安定的に実現することができるという作用を有する。
【００１９】
請求項２に記載のＶＤＳＬ通信機器は、請求項１に記載のＶＤＳＬ通信機器において、スクリプトファイルデータを蓄積する設定用ＰＣと接続するための外部ＰＣ接続部を備えることとしたものである。
【００２０】
この構成により、スクリプトファイルのデータを外部ＰＣに保存するようにしたので、ＶＤＳＬ通信機器のメモリ容量を削減することができ、またスクリプトファイルのデータのアップデートも簡単に行なうことができるという作用を有する。
【００２１】
以下、本発明の実施の形態について、図１、図２、図４〜図６を参照しながら説明する。
【００２２】
（実施の形態１）
図１は、本発明の実施の形態１によるＶＤＳＬ通信機器を有する構内通信システムを示すブロック図である。
【００２３】
図１において、３０はＶＤＳＬ通信機器であり、ＶＤＳＬ通信機器３０は、ＶＤＳＬインタフェース部（ＶＤＳＬＩ／Ｆ部）３２と、ＶＤＳＬ通信を制御するＶＤＳＬ制御部３３と、インターネット（Ｉｎｔｅｒｎｅｔ）７に接続されたネットワーク接続部３４と、ＶＤＳＬの伝送帯域の諸条件（センター周波数の設定、送信レベルの設定等々）を設定するスクリプトファイル蓄積部３５と、ＤＰＴのキャリアの高調波のレベルを検知するノイズレベル検知部３６と、電源ブロック６とから構成される。３１はＰＢＸであり、ＰＢＸ３１は、ＰＳＴＮ回線８と接続されるＰＢＸインタフェース部（ＰＢＸＩ／Ｆ部）３７と、コーデック部（ＣＯＤＥＣ部）３８と、ＤＰＴインタフェース部（ＤＰＴＩ／Ｆ部）３９と、ＰＢＸインタフェース制御部（ＰＢＸＩ／Ｆ制御部）４０とから構成される。４１はＰＢＸ３１に接続されたポート番号１（＃１）のＤＰＴである。また、宅内側においては、９は宅内モデム、１０は宅内モデム９に接続される電話機、１１は宅内モデム９に接続されるＰＣ、４３はＤＰＴ４１と接続されるポート番号２（＃２）のＤＰＴ、４２はそれらＤＰＴ間を接続する為の電話線としての４ワイヤケーブである。
【００２４】
ＶＤＳＬ通信について説明すると、ＰＳＴＮ回線８やＩｎｔｅｒｎｅｔ７をＰＢＸ３１やＶＤＳＬ通信機器３０を介して宅内モデム９とリンクさせ宅内の電話機１０やＰＣ１１と接続する場合、ＰＢＸ３１に接続されたＰＳＴＮ回線８からの音声信号は、ＰＢＸＩ／Ｆ部３７で音声帯域のみが通過し、ＶＤＳＬ制御部３３に送られる。また、Ｉｎｔｅｒｎｅｔ７のデータは、ネットワーク接続部３４でパケット処理され、同様にＶＤＳＬ制御部３３に送られる。そして、上記音声帯域のみ通過した音声信号とデータはともに、ＶＤＳＬフォーマットに基づき変復調され、要求の有った宅内モデムへ４ワイヤケーブル４２を通じて伝送され、宅内モデム９に接続された電話機１０やＰＣ１１と通話やデータ交換が出来るのである。
【００２５】
次に、ＤＰＴＩ／Ｆ部３９に接続されたＤＰＴ４１は、図６に示すようなＤＰＴのキャリアに音声データを乗せ、ＤＰＴ４３とピンポン伝送する。図６を見てもわかるように、キャリアの高調波が１０ＭＨｚまで優に達する。一方、ＶＤＳＬの伝送波形は同じく図６に示すように、１ＭＨｚを超えたところに下り方向、上り方向の伝送帯域があり、この帯域を使って１０Ｍｂｐｓ〜５２Ｍｂｐｓの高速伝送を行う。そして、４ワイヤケーブル４２に、ＤＰＴとＶＤＳＬ通信を共存させるために、図５に示すようにデータを割り当てると、ＤＰＴのキャリア波形とＶＤＳＬの伝送波形が相互干渉をしてＤＰＴキャリアの高調波のクロストークがＶＤＳＬ通信を割り当てたライン（ＶＤＳＬライン）に影響を及ぼし、ＶＤＳＬ通信のリンクが確立しないという状況となる。
【００２６】
ここで、本実施の形態では、ノイズレベル検知部３６でＤＰＴのキャリアの高調波のレベルを検知する。また、スクリプトファイル蓄積部３５には、ＶＤＳＬの送信レベル及びセンター周波数等の伝送帯域を設定するためのデータがスクリプトファイルデータとして蓄積されている。そして、ノイズレベル検知部３６で検知されたキャリアの高調波のレベルの情報から、ＶＤＳＬの伝送帯域の最適設定条件のスクリプトファイルがスクリプトファイル蓄積部３５から自動的に選択され、図６に示すようにクロストークの影響のない周波数帯域にセンター周波数を移動したり、送信レベルを変更するようにＶＤＳＬ制御部３３に指示を与える。
【００２７】
このように、ＤＰＴのキャリアの高調波のレベルとスクリプトファイルデータに基づいて送信レベルおよびセンター周波数等の伝送帯域を自動的に設定して、ＶＤＳＬの伝送帯域の設定をＤＰＴのクロストークの影響のない帯域に移動させることができるので、ＶＤＳＬ通信が確実にリンクできるようにすることができる。従って、ＤＰＴによる音声通信とＶＤＳＬによるデータ通信との同時接続を安定的に実現することができる。
【００２８】
（実施の形態２）
図２は、本発明の実施の形態２によるＶＤＳＬ通信機器としてのＶＤＳＬ対応ＰＢＸ内線カードを有する構内通信システムを示すブロック図である。
【００２９】
図２において、電源ブロック６、宅内モデム９、電話機１０、ＰＣ１１、ＶＤＳＬインタフェース部（ＶＤＳＬＩ／Ｆ部）３２、ＶＤＳＬ制御部３３、ネットワーク接続部３４、検知部３６、ＰＢＸインタフェース部（ＰＢＸＩ／Ｆ部）３７、コーデック部（ＣＯＤＥＣ部）３８、ＤＰＴインタフェース部（ＤＰＴＩ／Ｆ部）３９、ＰＢＸインタフェース制御部（ＰＢＸＩ／Ｆ制御部）４０、ＤＰＴ４１、４３、４ワイヤケーブル４２は図１と同様のものなので、同一符号を付し、説明は省略する。４４はＶＤＳＬの伝送帯域の諸設定をする為の外部ＰＣ接続部、４５は外部ＰＣ接続部４４に接続され外部よりＶＤＳＬの諸設定をする為の設定用ＰＣ、５１は構成要素６、３２〜３４、３６〜４０、４４から成るＶＤＳＬ対応ＰＢＸ内線カードである。
【００３０】
ＶＤＳＬ通信について説明すると、ＰＳＴＮ回線８やＩｎｔｅｒｎｅｔ７をＶＤＳＬ対応内線カード５１を介して宅内モデム９とリンクさせ宅内の電話機１０やＰＣ１１と接続する場合、ＰＢＸＩ／Ｆ部３７に接続されたＰＳＴＮ回線８からの音声信号は、ＰＢＸＩ／Ｆ部３７で音声帯域のみが通過し、ＶＤＳＬ制御部３３に送られる。また、Ｉｎｔｅｒｎｅｔ７のデータは、ネットワーク接続部３４でパケット処理され、同様にＶＤＳＬ制御部３３に送られる。そして、上記音声帯域のみ通過した音声信号とデータはともに、ＶＤＳＬフォーマットに基づき変復調され、要求の有った宅内モデムへ４ワイヤケーブル４２を通じて伝送され、宅内モデム９に接続された電話機１０やＰＣ１１と通話やデータ交換が出来るのである。
【００３１】
次に、ＤＰＴＩ／Ｆ部３９に接続されたＤＰＴ４１は、図６に示すようなＤＰＴのキャリアに音声データを乗せ、ＤＰＴ４３とピンポン伝送する。図６を見てもわかるように、キャリアの高調波が１０ＭＨｚまで優に達する。一方、ＶＤＳＬの伝送波形は同じく図６に示すように、１ＭＨｚを超えたところに下り方向、上り方向の伝送帯域があり、この帯域を使って１０Ｍｂｐｓ〜５２Ｍｂｐｓの高速伝送を行う。そして、４ワイヤケーブル４２に、ＤＰＴとＶＤＳＬ通信を共存させるために、図５に示すようにデータを割り当てると、ＤＰＴのキャリア波形とＶＤＳＬの伝送波形が相互干渉をしてＤＰＴキャリアの高調波のクロストークがＶＤＳＬ通信を割り当てたライン（ＶＤＳＬライン）に影響を及ぼし、ＶＤＳＬ通信のリンクが確立しないという状況となる。
【００３２】
ここで、本実施の形態では、ノイズレベル検知部３６でＤＰＴのキャリアの高調波のレベルを検知する。また、本実施の形態においては、ＶＤＳＬの送信レベル及び伝送帯域（センター周波数等）を設定するためのスクリプトファイルは、ＶＤＳＬ対応内線カード５１の内部メモリを削減する為に、外部の設定用ＰＣ４５に保存されている。そして、ノイズレベル検知部３６で検知されたキャリアの高調波のレベルの情報は、外部ＰＣ接続部４４を介して設定用ＰＣ４５に送られ、設定用ＰＣ４５は、上記キャリアの高調波のレベルの情報に基づいて、ＶＤＳＬの伝送帯域の最適設定条件のスクリプトファイルを自動的に選択し、同様に外部ＰＣ接続部４４を介して、クロストークの影響のない周波数帯域にセンター周波数を移動するようにしたり送信レベルを変更するように、ＶＤＳＬ制御部３３に指示する。また、スクリプトファイルを設定用ＰＣ４５に保存している為、スクリプトファイルのデータのアップデートは簡単に行なう事が可能である。
【００３３】
このように、実施の形態１と同様に、ＤＰＴのキャリアの高調波のレベルとスクリプトファイルデータに基づいて、送信レベルおよびセンター周波数等の伝送帯域を自動的に設定して、ＶＤＳＬの伝送帯域の設定をＤＰＴのクロストークの影響のない帯域に移動させることができるので、ＶＤＳＬ通信が確実にリンクできるようにすることができ、ＤＰＴによる音声通信とＶＤＳＬによるデータ通信との同時接続を安定的に実現することができる。また、スクリプトファイルは設定用ＰＣ４５に保存している為、ＶＤＳＬ対応内線カード５１の内部メモリ容量を削減することができ、またスクリプトファイルのデータのアップデートを簡単に行なうことができる。
【００３４】
【発明の効果】
以上説明したように本発明の請求項１に記載のＶＤＳＬ通信機器によれば、内線用デジタル電話とＶＤＳＬとにより音声伝送とデータ伝送とを行うＶＤＳＬ通信機器であって、全体を制御するＶＤＳＬ制御部と、内線用デジタル電話のキャリアの高調波のレベルを検知するノイズレベル検知部と、検知した高調波のレベルに基づいてＶＤＳＬの送信レベルや伝送帯域の諸条件を設定するためのデータであるスクリプトファイルデータを蓄積するスクリプトファイル蓄積部とを有することにより、ＶＤＳＬ制御部は、ＶＤＳＬの送信レベルや伝送帯域の諸条件を予め蓄積しているスクリプトファイルのデータによって自動的に決定することができるので、ＤＰＴのキャリアの高調波のノイズレベルに応じてＶＤＳＬの送信レベルや伝送帯域の設定をＤＰＴのクロストークの影響のない帯域に移動させることができ、ＶＤＳＬ通信を確実にリンクさせることができ、従って、ＤＰＴによる音声通信とＶＤＳＬによるデータ通信との同時接続を安定的に実現することができるという有利な効果が得られる。
【００３５】
請求項２に記載のＶＤＳＬ通信機器によれば、請求項１に記載のＶＤＳＬ通信機器において、スクリプトファイルデータを蓄積する設定用ＰＣと接続するための外部ＰＣ接続部を備えたことにより、スクリプトファイルのデータを外部ＰＣに保存するようにしたので、ＶＤＳＬ通信機器のメモリ容量を削減することができ、またスクリプトファイルのデータのアップデートも簡単に行なうことができるという有利な効果が得られる。
【図面の簡単な説明】
【図１】本発明の実施の形態１によるＶＤＳＬ通信機器を有する構内通信システムを示すブロック図
【図２】本発明の実施の形態２によるＶＤＳＬ通信機器としてのＶＤＳＬ対応ＰＢＸ内線カードを有する構内通信システムを示すブロック図
【図３】従来のＶＤＳＬ通信機器を示すブロック図
【図４】ＤＰＴの伝送フレームフォーマットやタイミングを示すタイミング図
【図５】専用線としてのケーブル内のデータ割当てを示す説明図
【図６】ＤＰＴのキャリア信号の実測波形を示す波形図
【符号の説明】
６  電源ブロック
７  インターネット（Ｉｎｔｅｒｎｅｔ）
８  ＰＳＴＮ回線
９  宅内モデム
１０  電話機
１１  ＰＣ
３０  ＶＤＳＬ通信機器
３１  ＰＢＸ
３２  ＶＤＳＬインタフェース部（ＶＤＳＬＩ／Ｆ部）
３３  ＶＤＳＬ制御部
３４  ネットワーク接続部
３５  スクリプトファイル蓄積部
３６  ノイズレベル検知部
３７  ＰＢＸインタフェース部（ＰＢＸＩ／Ｆ部）
３８  コーデック部（ＣＯＤＥＣ部）
３９  ＤＰＴインタフェース部（ＤＰＴＩ／Ｆ部）
４０  ＰＢＸインタフェース制御部（ＰＢＸＩ／Ｆ制御部）
４１、４３  ＤＰＴ
４２  ４ワイヤケーブル
４４  外部ＰＣ接続部
４５  設定用ＰＣ
５１  ＶＤＳＬ対応ＰＢＸ内線カード
【図１】
2004200850.tif 000003
【図２】
2004200850.tif 000004
【図３】
2004200850.tif 000005
【図４】
2004200850.tif 000006
【図５】
2004200850.tif 000007
【図６】
2004200850.tif 000008